(57)【要約】【課題】処理が施された医用画像の読影時に、撮影意図を直感的かつ迅速に把握可能にして読影作業の正確化や効率化を図る。【解決手段】制御手段により画像取扱手段に画像Ｆ３の画像選択が入力されると、処理ユニットは画像Ｆ３を拡大率＊ｎ１と共に記録手段から読み出して、＊ｎ０画像Ｆ３から＊ｎ１に相当する領域を抽出した画像Ｆ６を生成して、表示手段７に拡大表示する。画像Ｆ４、Ｆ５に対しても連続して同様の処理を行い、画像Ｆ４の＊ｎ２画像Ｆ７、画像Ｆ５の等倍の＊ｎ３画像Ｆ８を並列して表示する。撮影意図再現モードで画像を表示させると、初期状態において撮影時に観察していた視野で表現されるが、倍率変更スイッチにより、選択された画像の表示倍率を変更を行い、表示手段７に表示させる処理を行う。【選択図】        図６
2005058267.tif 000002
【特許請求の範囲】
【請求項１】
被検眼の所定部位を撮影する撮影光学系と、該撮影光学系により結像した被検眼の光学像を撮影する電子撮像手段と、撮影された前記光学像の撮影画像を取り込む画像取込手段と、該画像取込手段に所定の画像処理を行うための画像処理パラメータ及び画像処理命令を入力する入力手段と、前記撮影画像と前記画像処理パラメータを相互に関連付けするか又は前記撮影画像に前記画像処理パラメータを付帯させて保存する画像保存手段と、前記撮影画像と前記画像処理パラメータを前記画像保存手段から同時に呼び出し、前記画像処理パラメータを基に前記撮影画像に前記画像処理をする画像処理手段と、前記撮影画像に前記画像処理した処理画像を表示する表示手段とを有することを特徴とする眼科用撮影装置。
【請求項２】
前記画像処理パラメータとして前記撮影画像内の所定範囲の大きさを設定し、前記撮影画像からの該所定範囲の抽出して一部の範囲の拡大表示を行う請求項１に記載の眼科用撮影装置。
【請求項３】
前記画像処理パラメータとして前記撮影画像内の所定位置を指定し、前記撮影画像中の該所定位置に所定のマーカを合成し表示を行う請求項１に記載の眼科用撮影装置。
【請求項４】
前記画像処理パラメータとして前記撮影画像内の所定範囲の大きさと所定位置を指定でき、該所定位置を中心とした該所定範囲を前記撮影画像から抽出して一部の範囲の拡大表示を行う請求項１に記載の眼科用撮影装置。
【発明の詳細な説明】
【０００１】
【発明の属する技術分野】
本発明は、撮影画像の読影が容易な眼科用撮影装置に関するものである。
【０００２】
【従来の技術】
眼科における医用画像は、画像として正確に記録されていることは当然なことであるが、眼科医用画像においてこれと同程度に重要な要件として、撮影画像に対する撮影意図、即ち撮影された画像がどのような必要性を持って撮影されたかを記録することも、また重要なことである。
【０００３】
医用画像の撮影意図の記録は、カルテや撮影指示書などに撮影の記録を残したり、特許文献１、特許文献２のように撮影された画像に記録を書き込んだり、電子画像の場合には記録をデータ添付したりすることで残すことは可能である。
【０００４】
ただし、実際の画像診断においては、逐一これらの記録を参照することは非効率的であるので、画像自体から直感的に撮影意図を読み取りながら診断を行うことが好ましい。そのために、注目部位を画面中央に撮影したり、その部位の拡大した画撮影が行われる。この撮影方法により撮影した画像を閲覧した読影者は、直感的かつ短時間に画像の撮影意図を理解でき、効率の良い画像読影診断が行える。
【０００５】
【特許文献１】
特開平６−１６５７６３号公報
【特許文献２】
特開平９−１７３２９５号公報
【０００６】
【発明が解決しようとする課題】
しかしながら、従来から広く行われている銀塩媒体による写真撮影では、上記のように拡大画像を撮影する場合には、光学的な画像拡大を行う必要があり、撮影された画像は拡大された画像以外にはなり得ない。近年、普及してきたデジタル写真撮影などにおいても、撮影時に撮影部位を拡大観察しながら、拡大した画像撮影を行うことは当然可能である。
【０００７】
この事例においては、撮影部位を中心にして拡大された状態で観察された画像を見ることになるので、読影者には前述のように撮影意図を直感的に理解することができる反面で、画像範囲外の部位については読影者は見ることができず、他の画像から必要とする部位の画像を探さなければならない。
【０００８】
一方、電子画像の取り扱いの簡便さを生かして、広画角つまり低倍率で画像を撮影し、詳細観察が必要な場合にはパーソナルコンピュータのビュワ機能などを利用して、読影者が随時に画像拡大を行うことで、拡大画像と広角画像を別々に撮影する回数を少なくすることが可能である。
【０００９】
この事例においては、広範囲の画像を見ることが可能で、画像の拡大率や拡大部位の自由度が高い。しかし拡大画像を見る場合には、必ず画像の拡大や拡大範囲の検索など所定の操作を必要としてしまうために、画像閲覧が煩雑になる。更に、撮影時の注目部位やその撮影倍率、即ちその部位に対する注目度などの当該画像の撮影意図が画像からだけでは、極めて分かり難くなってしまう。
【００１０】
また、眼底画像を例にとれば、患者の負担を軽減する目的で、１枚の写真によりできるだけ多くの情報を得るために、周辺部に存在する病変と共に、乳頭や黄斑を含む後極部を中心とする広画角な画像を撮影した場合や、散瞳不良や白内障などの被検眼の障害によって、眼底周辺部の病変を中心に据えた画像の撮影が困難な場合がある。とりあえず、病変部を画像の何処かに写っている状態の画像を撮影した場合には、その１枚の画像からだけでは撮影の意図、即ち後極部が中央に写ってはいるが、最大の注目点は周辺の病変であるということや、画像のどこかに病変部が存在するということが直感的に分かり難いことになる。
【００１１】
更に、観察対象に応じてエッジ強調、コントラスト強調、ＲＧＢ補正表示、帯域圧縮・伸長などの画像処理を施した観察画像を見ながら撮影を行えば、撮影対象をより明確に観察することが可能になり、その画像を撮影して残せば、読影時に撮影の意図を直感的に把握するために大きく寄与できる。しかし、画像処理を施さない原画像を見ることができず、意図的な処理をした画像のみを見ることができて、原画像を見ることができないのは、医用画像としては大きな問題がある。
【００１２】
本発明の目的は、上述の問題点を解消し、画像であっても撮影意図を直感的に読み取れるようにした眼科用撮影装置を提供することにある。
【００１３】
【課題を解決するための手段】
上記目的を達成するための本発明に係る眼科用撮影装置は、被検眼の所定部位を撮影する撮影光学系と、該撮影光学系により結像した被検眼の光学像を撮影する電子撮像手段と、撮影された前記光学像の撮影画像を取り込む画像取込手段と、該画像取込手段に所定の画像処理を行うための画像処理パラメータ及び画像処理命令を入力する入力手段と、前記撮影画像と前記画像処理パラメータを相互に関連付けするか又は前記撮影画像に前記画像処理パラメータを付帯させて保存する画像保存手段と、前記撮影画像と前記画像処理パラメータを前記画像保存手段から同時に呼び出し、前記画像処理パラメータを基に前記撮影画像に前記画像処理をする画像処理手段と、前記撮影画像に前記画像処理した処理画像を表示する表示手段とを有することを特徴とする。
【００１４】
【発明の実施の形態】
本発明を図示の実施の形態に基づいて詳細に説明する。
図１は本発明の装置の外観概要図である。光学系等を内蔵した筐体１は被検眼Ｅへのアライメントのためにステージ２上に位置及び姿勢を三次元的に移動可能に搭載されており、筐体１には変倍スイッチ３、フォーカスノブ４、デジタルカメラ等から成る電子撮像手段５が取り付けられ、電子撮像手段５の出力は画像取扱手段６を介して表示手段７に接続されている。ステージ２上には、複数のスイッチ類を有する操作パネル８が設置されており、操作パネル８上に頂部撮影スイッチ９を取り付けた操作桿１０が設けられている。
【００１５】
図２は眼底カメラに応用した筐体１内の光学的、電気的な構成図である。連続発光光源である観察光源１１から対物レンズ１２に至る光路中には、観察光源１１側からコンデンサレンズ１３、撮影光源であるストロボ管１４、コンデンサレンズ１５、フィールドレンズ１６、リングスリット１７、有害光に対するの遮光部材１８、リレーレンズ１９、遮光部材２０、孔あきミラー２１が配列されている。また、観察光源１１の後方には凹面ミラー２２が配置されている。
【００１６】
孔あきミラー２１の後方には、フォーカスノブ４により光軸方向に移動可能なフォーカスレンズ２３、結像レンズ２４、電子撮像手段５が配置されている。電子撮像手段５は撮影光学系における最低結像倍率（最広画角）である「撮影光学系基礎結像倍率」で結像した眼底部Ｅａの光学像を電荷に変換する撮像素子２５と、撮像素子２５からこの電荷を同期制御を行いながら信号波形として読み込む撮像回路２６によって構成されている。
【００１７】
撮像回路２６の出力は画像取扱手段６、制御手段２７に接続され、また画像取扱手段６は表示手段７、制御手段２７に接続されている。制御手段２７には、観察光源１１、ストロボ管１４、変倍スイッチ３、操作パネル８、撮影スイッチ９が接続されている。
【００１８】
制御手段２７は変倍スイッチ３、撮影スイッチ９等からの操作信号入力を受け、観察光源１１及びストロボ管１４を始め装置全体の制御を行い、更に電子撮像手段５と画像取扱手段６に対して制御信号やトリガ信号、入力データ等の送受信を行う。
【００１９】
図３は画像取扱手段６の構成図を示し、画像取扱手段６はメモリ３１、処理ユニット３２、記録手段３３から構成され、処理ユニット３２はメモリ３１、記録手段３３に接続されている。更に、メモリ３１には電子撮像手段５の出力が接続され、処理ユニット３２は制御手段２７、表示手段７に接続されている。
【００２０】
観察光源１１又はストロボ管１４から発した照明光は、コンデンサレンズ１３、１５を経て、フィールドレンズ１６とリングスリット１７でリング状に成形され、リレーレンズ１９と遮光部材１８、２０の照明光学系を経て、孔あきミラー２１の周辺部で反射されて、対物レンズ１２を介して被検眼Ｅの眼底部Ｅａに照射される。
【００２１】
眼底部Ｅａからの反射光は再び対物レンズ１２と孔あきミラー２１の孔部分、フォーカスレンズ２３、結像レンズ２４を経た電子撮像手段５から成る撮影光学系において撮影される。
【００２２】
電子撮像手段５の撮像素子２５から読み込んだ信号波形を、撮像回路２６はＡＤ変換を行ってデジタル画像データに変換し、同期信号と共に画像取扱手段６に出力する。画像取扱手段６に入力された画像データと同期信号は、メモリ３１で一時記憶される。処理ユニット３２はメモリ３１に記憶された画像データに所定の処理を施して記録手段３３に記憶させたり、表示手段７に画像表示をする。また、処理ユニット３２は後述するように制御手段２７からの入力に従ってデータ処理内容の変更を行う。
【００２３】
眼底部Ｅａの撮影では、撮影部位への位置合わせや合焦を行うために、通常は動画モードで動作している。制御手段２７はこの動画モード時に、画像取扱手段６と電子撮像手段５に対して動画モードで動作するように指令する。これを受けて、電子撮像手段５は連続して１秒当り数フレーム〜数１０フレーム分の眼底部Ｅａの画像を撮影し、画像取扱手段６はこれらの画像データを取り込む。画像取扱手段６に取り込まれた複数の画像データは、順次に１フレーム毎の画像に生成され、これをリアルタイムで連続的に表示手段７に表示させることで、検者に被検眼Ｅの動画像を提示する。
【００２４】
検者は表示手段７に表示された被検眼Ｅの動画像を観察しながら、眼底部Ｅａの所定部位へのアライメント及びピント合わせを行い、操作桿１０上の撮影スイッチ９を押すと、制御手段２７は既知の制御方法を用いて、ストロボ管１４を所定光量で所定時間発光させ、同時に電子撮像手段５、画像取扱手段６に対して制御信号及びトリガ信号を送り、動画像の取り込みを停止し、ストロボ管１４の発光に同期して電子撮像手段５で眼底部Ｅａの静止画像（１フレーム画像）の撮影が行われる。図１、図２に示す撮影された静止画像Ｆは画像取扱手段６に保存され、同時に静止画像Ｆは表示手段７に表示される。
【００２５】
図４は拡大撮影を行う場合のフローチャート図である。画像拡大撮影においては、上述のような動画観察時に図５の矢印で示すように変倍スイッチ３を操作して、拡大率をｎ倍（＊ｎ）に設定する（Ｓ２０１〜Ｓ２０３）。制御手段２７を介して、変倍スイッチ３から入力された＊ｎを画像取扱手段６に入力する（Ｓ２０４）。
【００２６】
ここで述べるｎ倍とは、前述の撮影光学系基礎結像倍率である＊ｎ０に対する相対倍率である。図５に示すように、動画モードにおいて取り込まれた眼底部Ｅａの＊ｎ０画像Ｆ０からは、画像取扱手段６内において処理ユニット３２により、画像中央を中心とした＊ｎに相当する領域の画像Ｆ１が抽出され、抽出された＊ｎの拡大画像Ｆ２が表示手段７に表示される（Ｓ２０５）。
【００２７】
拡大率ｎ倍に相当する領域の抽出は、既知の様々な画像処理手法があって、何れを用いてもよいが、一例として次のように行える。撮像素子２５の撮影有効画素数が縦Ｌ、横Ｗであった場合にｎ倍で抽出する領域のピクセル数を、縦Ｌｎ＝ＩＮＴ（Ｌ／ｎ）、横Ｗｎ＝ＩＮＴ（Ｗ／ｎ）で算出する。ここで、「ＩＮＴ（
）」は（  ）内の実数を整数に丸める関数である。
【００２８】
撮像素子２５における画像の結像中心付近の画素の位置であるピクセルアドレスＣｘ、Ｃｙを決定し、このピクセルアドレスを中心としたＬｎ、Ｗｎの範囲のピクセルのデータを＊ｎ０画像Ｆ０から抽出して、これを１枚の画像として再構成することで、＊ｎ０画像Ｆ０から＊ｎの拡大画像Ｆ２を抽出することができる。
【００２９】
変倍スイッチ３が＊ｎに設定された状態で、撮影スイッチ９を押して静止画撮影を行うと（Ｓ２０６）、制御手段２７により動画観察が停止され（Ｓ２０７）、画像取扱手段６において処理ユニット３２は電子撮像手段５で撮影された＊ｎ０画像Ｆ０（Ｓ２０８）から＊ｎ拡大画像を生成せずに、＊ｎ０画像Ｆ０に＊ｎをヘッダ情報として付帯して記録手段３３に記録する（Ｓ２０９）。
【００３０】
また、この場合に＊ｎの情報を画像データに付帯させずに、＊ｎと画像データとをそれぞれ別も保存し、相互にデータベース的な関連付けを行ってもよい。
【００３１】
図６は上述のように撮影されて画像取扱手段６において記録された画像Ｆ３、Ｆ４、Ｆ５を画像リストやサムネイルなど既知の選択方法で操作パネル８上に設けた選択スイッチや表示手段７上に設置したタッチセンサなどにより選択し、表示手段７において表示をした例である。
【００３２】
画像取扱手段６において、画像Ｆ３、Ｆ４、Ｆ５はそれぞれに拡大率が付帯記録されている、即ち、画像Ｆ３には＊ｎ１、画像Ｆ４には＊ｎ２、画像Ｆ５には＊ｎ３（＝等倍）が付帯されて、記録手段３３に＊ｎ０画像として記録されている。
【００３３】
例えば図７のフローチャート図に従って、制御手段２７により画像取扱手段６に画像Ｆ３の画像選択が入力されると（Ｓ２１３）、処理ユニット３２は画像Ｆ３を＊ｎ１と共に記録手段３３から読み出して（Ｓ２１４）、前述の図５に関する説明と同様に、＊ｎ０画像Ｆ３から＊ｎ１に相当する領域を抽出した画像Ｆ６を生成して、表示手段７に拡大表示する（Ｓ２１５〜Ｓ２１６）。画像Ｆ４、Ｆ５に対しても連続して同様の処理を行い、図６に示すように画像Ｆ４の＊ｎ２画像Ｆ７、画像Ｆ５の＊ｎ３画像Ｆ８を並列して表示する。
【００３４】
このように、撮影意図再現モードで画像を表示させると、初期状態において撮影時に観察していた視野で表現されるが、操作パネル８中に設けられた倍率変更スイッチにより、画像表示倍率の変更操作を制御手段２７に入力すると（Ｓ２１８〜Ｓ２１９）、制御手段２７は当該画像処理を行うように画像取扱手段６に指示を送信する。この指示の入力に従って、画像取扱手段６は処理ユニット３２において選択された画像の表示倍率を変更を行い、表示手段７に表示させる処理を行うことが可能である（Ｓ２２０）。このような表示倍率の変更により、当初表示されていた画像の周辺部を見ることや、更なる高倍率での詳細観察も可能となる。
【００３５】
図８は第２の実施の形態の撮影動作のフローチャート図を示している。図９に示すように、表示手段７に表示された動画像Ｆ１０を見ながら（Ｓ２２３）、検者が被検眼Ｅにアライメントを行う中で、操作パネル８中に設けられたポインタスイッチの操作により、制御手段２７を介して動画像Ｆ１０上でポインタを移動させて点Ｐを指定し（Ｓ２２４）、点Ｐの情報を画像取扱手段６に送る（Ｓ２２５）。画像取扱手段６において、処理ユニット３２は指定された点Ｐの位置を撮像素子２５上のピクセルアドレスＰ＝（ｘ，ｙ）に変換する（Ｓ２２６）。撮影スイッチ９を押して撮影を行うと（Ｓ２２７）、撮影された画像Ｆ１０は画像取扱手段６において、ピクセルアドレスＰを付帯されて記録手段３３に記録される（Ｓ２２８〜Ｓ２３０）。
【００３６】
図１０は上述のように撮影された画像の合成画像の表示のフローチャート図を示す。図１１は上述のように撮影された後に画像取扱手段６に記録された画像Ｆ１１、Ｆ１２、Ｆ１３を、前述のような再現モードで表示手段７に表示した例である。
【００３７】
前述のように撮影されて画像取扱手段６において記録された画像Ｆ１１、Ｆ１２、Ｆ１３を画像を選択する（Ｓ２３４）。画像取扱手段６において、処理ユニット３２は記録されている画像Ｆ１と、撮影時に付帯記録されている指定点Ｐ１のピクセルアドレス（Ｐ１）を読み出し（Ｓ２３５）、画像Ｆ１上にピクセルアドレス（Ｐ１）＝（ｘ１，ｙ１）を中心とした図１１中で方形のエリアである所定のポインタＰ１を合成した合成画像Ｆ１４上を生成して（Ｓ２３６）、表示手段７に表示する（Ｓ２３７）。他の画像Ｆ１２、Ｆ１３においても同様に表示処理を行い、表示画像Ｆ１５のポインタＰ２、画像Ｆ１６のポインタＰ３のように表示する。ポインタＰ１、Ｐ２、Ｐ３は合成表示されているだけなので、必要に応じて消去が可能である（Ｓ２３９〜Ｓ２４１）。
【００３８】
ポインタの設定には、既知の視線検知装置を用いて観察画像における撮影者の視点位置を検知して入力させてもよいし、表示手段７の表面にタッチセンサを配置して、観察画像上を直接触れることで位置の入力を行ってもよい。
【００３９】
図１２は第３の実施の形態の撮影のフローチャート図を示す。図１３において、前述と同様に被検眼Ｅの眼底Ｅａを電子撮像手段５により撮影されている眼底画像Ｆ２０の動画観察を行っている。観察をしながら前述したように点Ｐ４を指定し、更に変倍スイッチ３を操作して、拡大率をｎ倍（＊ｎ）に設定すると（Ｓ２４４〜Ｓ２４６）、前述の図４、図８で説明した処理を複合的に行い、表示手段７に点Ｐ４中心の＊ｎ拡大画像Ｆ２１が表示される（Ｓ２４７〜Ｓ２４９）。
撮影スイッチ９を押して静止画撮影を行うと（Ｓ２５０〜Ｓ２５２）、前述の図４、図８で説明した処理を複合的に行い、画像取扱手段６において＊ｎ０画像Ｆ２０に、＊ｎとピクセルアドレス（Ｐ）＝（ｘ，ｙ）をヘッダ情報として付帯して記録を行う（Ｓ２５３）。
【００４０】
被検眼Ｅに対するアライメントのし易さを考慮し、観察時に拡大画像Ｆ２１を表示せずに＊ｎ０画像を表示することもよい。また、拡大画像との切換手段を設けてもよい。
【００４１】
図１４はこのように撮影された画像の表示動作のフローチャート図を示す。図１５はこのように記録された静止画像データを表示手段７に再表示させた例を示している。前述のように、画像Ｆ２３、Ｆ２４、Ｆ２５を選択する（Ｓ２５７）。例えば、画像Ｆ２３を表示する場合に、画像取扱手段６において、画像Ｆ２３と撮影時に付帯記録されている指定点Ｐ５のピクセルアドレス（Ｐ５）＝（ｘ５，ｙ５）、＊ｎ５を読み出し（Ｓ２５８）、表示画像Ｆ２３上の位置に変換し、ピクセルアドレス（Ｐ５）＝（ｘ５，ｙ５）を中心とした＊ｎ５の拡大画像Ｆ２６を生成し（Ｓ２５９）、表示手段７に表示する（Ｓ２６０）。
【００４２】
他の画像Ｆ２４、Ｆ２５においても同様に表示処理を行い、Ｐ６を中心とした＊ｎ６拡大画像Ｆ２７、Ｐ７を中心とした＊ｎ７拡大画像Ｆ２８のように表示する。必要に応じて、拡大率や拡大画像の中心を変更することは（Ｓ２６２〜Ｓ２６４）、既知の手段によって可能であるので説明を省略する。
【００４３】
図１６は第４の実施の形態であり、撮影観察時に観察対象をより見易くするために、既知の手法を用いて観察画像に対してエッジ強調処理を行いながら撮影する例を示している。
【００４４】
図１７はそのフローチャート図であり、動画像Ｆ３０を観察中に操作パネル８中に設けられたエッジ強調スイッチを操作して、画像取扱手段６に所定のエッジ強調処理がされた動画像Ｆ３１を表示手段７に表示させる（Ｓ２７１〜Ｓ２７５）。撮影スイッチ９を押して静止画撮影を行うと（Ｓ２７６〜Ｓ２７８）、＊ｎ０画像Ｆ３０にどのようなエッジ強調処理をしたかという情報Ａを付加して、画像取扱手段６により記録を行う（Ｓ２７９）。
【００４５】
図１８は上述のようにして撮影された画像の表示についてのフローチャート図である。前述したように、表示させる画像を選択し（Ｓ２８３）、画像取扱手段６において、画像Ｆ３０とエッジ強調処理情報Ａを読み出して（Ｓ２８４）、エッジ処理情報Ａに基づいて画像Ｆ３０にエッジ強調処理を施した画像Ｆ３１を表示手段７に表示する（Ｓ２８５〜Ｓ２８６）。必要に応じて、エッジ強調処理を解除してオリジナルの画像Ｆ３０を表示することは（Ｓ２８８〜Ｓ２９０）、既知の手法を用いて容易に実現できる。
【００４６】
上述のエッジ強調だけでなく、コントラスト強調、ＲＧＢ補正表示、帯域圧縮・伸長などの既知の画像処理においても、同様な手法を用いることができることは自明である。
【００４７】
本発明においては、撮影対象の撮影光学系における最低結像倍率（最広画角）を「撮影光学系基礎結像倍率」と定義し、拡大画像撮影においても常時この倍率による最広画角画像を撮影し、この画像に対する拡大倍率の情報を撮影画像と共に同時記録する。そして当該画像を表示手段において再表示する際には、記録されている広画角画像ではなく、同時記録された拡大倍率を基に画像処理が施された拡大画像を常に表示する表示手段を提供する。必要に応じて表示拡大率を下げれば元々記録されている広画角画像を見ることが可能で、周辺部読影も一挙に可能となる。
【００４８】
更に、撮影部位の観察時の撮影者の注目範囲を簡便に記録しその位置情報を撮影画像と共に動じ記録する。当該画像の再表示の際には、同時記録されている注目範囲位置情報に基づいて当該範囲示すマーカを画像上に重ねて表示させる。これにより、注目部位を中心から外して撮影した医用画像においても画像の撮影意図を直感的に把握することが可能になる。
【００４９】
また、画層処理を施した観察像を残すために、上述と同じ手法で撮影光学系基礎結像倍率の原画像を撮影し、画像処理に関する情報を同時記録する。当該画像の再表示の際には画像処理情報を基に原画像を画像処理して表示する。これにより、処理済み画像だけではなく原画像も必要に応じて見ることが可能になる。
【００５０】
【発明の効果】
以上説明したように本発明に係る眼科用撮影装置は、処理を施した眼科画像の読影時に、撮影意図を直感的かつ迅速に把握可能にして読影作業の正確化や効率化が図れるだけでなく、撮影可能な限りの広範囲の原画像を随時利用可能となるので、詳細読影の効率化や画像の多目的応用の容易化など、１枚の医用画像の使用価値を飛躍的に大きくすることが可能となる。
【図面の簡単な説明】
【図１】装置の外観概要図である。
【図２】光学的、電気的な構成図である。
【図３】画像取扱手段の構成図である。
【図４】変倍撮影動作のフローチャート図である。
【図５】変倍撮影の説明図である。
【図６】変倍撮影画像の表示例の説明図である。
【図７】変倍撮影画像の表示動作のフローチャート図である。
【図８】視点入力撮影動作のフローチャート図である。
【図９】視点入力撮影の説明図である。
【図１０】視点入力撮影の表示動作のフローチャート図である。
【図１１】視点入力撮影の表示例の説明図である。
【図１２】指定点入力と変倍の複合撮影動作のフローチャート図である。
【図１３】指定点入力と変倍の複合撮影の説明図である。
【図１４】指定点入力と変倍の複合撮影画像の表示動作のフローチャート図である。
【図１５】指定点入力と変倍の複合撮影画像の表示例の説明図である。
【図１６】エッジ強調撮影の説明図である。
【図１７】エッジ強調撮影動作のフローチャート図である。
【図１８】エッジ強調撮影画像の表示動作のフローチャート図である。
【符号の説明】
１  筐体
２  ステージ
３  変倍スイッチ
４  フォーカスカメラ
５  電子撮像手段
６  画像取扱手段
７  表示手段
９  撮影スイッチ
１０  操作桿
１１  撮影光源
１４  ストロボ管
２１  孔あきミラー
２７  制御手段
【図１】
2005058267.tif 000003
【図２】
2005058267.tif 000004
【図３】
2005058267.tif 000005
【図４】
2005058267.tif 000006
【図５】
2005058267.tif 000007
【図６】
2005058267.tif 000008
【図７】
2005058267.tif 000009
【図８】
2005058267.tif 000010
【図９】
2005058267.tif 000011
【図１０】
2005058267.tif 000012
【図１１】
2005058267.tif 000013
【図１２】
2005058267.tif 000014
【図１３】
2005058267.tif 000015
【図１４】
2005058267.tif 000016
【図１５】
2005058267.tif 000017
【図１６】
2005058267.tif 000018
【図１７】
2005058267.tif 000019
【図１８】
2005058267.tif 000020